(57)【特許請求の範囲】
【請求項１】
湯の落とし込み水位を設定する外部水位設定手段を備え、
外部水位設定手段により設定された落とし込み水位と初回運転時に設定された基準水位よりも高い比較水位とを比較し、
設定された落とし込み水位が比較水位よりも低い場合には比較水位まで湯を落とし込み、
設定された落とし込み水位が比較水位よりも高い場合には設定された落とし込み水位まで湯を落とし込むことを特徴とする自動風呂装置の湯張り制御方法。
【請求項２】
湯の落とし込み水位を設定する外部水位設定手段と、
外部水位設定手段によって設定可能な落とし込み水位の範囲を決める水位範囲設定手段を備え、
設定可能な落とし込み水位の最低水位を初回運転時に設定された基準水位よりも高くなるように落とし込み水位の設定可能範囲を定め、外部水位設定手段により設定された落とし込み水位まで湯を落とし込むことを特徴とする自動風呂装置の湯張り制御方法。
【発明の詳細な説明】
【０００１】
【産業上の利用分野】
本発明は自動風呂装置の湯張り制御方法に関する。具体的には、浴槽内の設定水位まで自動的にお湯張りを行ない、その後補水を行ないながら設定水位に浴槽内の水位を保つようにした自動風呂装置の湯張り制御に関する。
【０００２】
【従来の技術】
浴槽内に設定された設定水位Ｈａまで自動的に給湯し、その後設定水位Ｈａを保つように補水を行ないながら、設定された温度付近に保つように保温運転を行なう自動風呂装置がある。図９に示すものは、このような自動風呂装置における通常運転時（設定のための初回運転後の２回目以降の運転時）における湯張り動作及び保温運転の手順を示すフロー図である。以下、図９のフロー図及び図１０の説明図に従って説明する。
【０００３】
（湯張り動作）
自動スイッチをオンにするとまず浴槽２内の水位Ｈが初回運転（試運転）時に記憶された基準水位Ｈｓ以下であることが確認される（Ｓ５１、Ｓ５２）。基準水位Ｈｓ以下であれば、まず少量の湯Ｑ１（約１０リットル）を落とし込み循環判定を行なって浴槽２内に残水のないことを確認する（Ｓ５３、Ｓ５４）。循環判定（Ｓ５４）が「水あり」であればさらに再確認用の少量の湯Ｑ２（約１０リットル程度）を落とし込んで循環判定を行ない（Ｓ５５、Ｓ５７）、エアー噛みなどによる異常判断でないことを確認する。また循環判定（Ｓ５４）が「水なし」であれば、一定量の湯Ｑ３（約９０リットル程度）を落とし込み再度循環判定を行なう（Ｓ５６、Ｓ５７）。こうして２度めの循環判定（Ｓ５７）が「水あり」と判断され水位Ｈがバスアダプターレベル以上にあることが確認されたならば、そのときの水位Ｈを圧力センサなどによって求め（Ｓ５８）、設定水位Ｈａと水位Ｈとの水位差に相当する湯の残量を初回運転時に予め求められていた浴槽断面積Ｓを用いて計算し、浴槽２内に残量の湯を落とし込んで設定水位Ｈａまで湯張りを行なう（Ｓ５９、Ｓ６０）。なお、水位Ｈが設定水位Ｈａから１ｃｍの範囲内にある場合には誤差範囲とみなして残量の湯は落とし込まない。こうして設定水位Ｈａまで湯張りが行なわれると設定温度まで追い焚きされ（Ｓ６１）、ブザー等によって湯張り動作が完了したことが知らされる（Ｓ６２）。
【０００４】
（保温動作）
次に保温動作について説明する。こうしてほぼ設定水位Ｈａまで湯張りされると保温動作が開始される。保温動作は、浴槽２内の水位Ｈが設定水位Ｈａを保つように必要に応じて補水しながら、浴槽２内に張られた湯を設定温度付近に保つように行われる。保温動作では、まず追い焚き可能な水位の量の湯が浴槽２内にあるかどうか確認される。具体的には、次のステップによって行なわれる。浴槽２内の水位Ｈがバスアダプターレベル以上の水位つまり、基準水位Ｈｓ以上であるかどうか最初に確められる（Ｓ６３）。基準水位Ｈｓ以下であれば、圧力センサが動作しない恐れがあるので、ステップＳ５３に戻って湯張り動作からやり直される。基準水位Ｈｓ以上の水位があれば次に、現水位Ｈが補水水位以下に下がっていないかどうか調べられる（Ｓ６４）。この補水水位は、例えば設定水位Ｈａよりも３ｃｍ低い水位に設定されており、現水位Ｈが補水水位以下に下がれば必要な量の湯が補水される。この補水は、ステップＳ６０に戻って設定水位Ｈａと現水位Ｈとの水位差に相当する湯の残量を浴槽断面積などを用いて計算し、浴槽２内に残量の湯を落とし込んで行なう。そして設定水位Ｈｓまで湯が落とし込まれると設定温度まで追い焚きされる（Ｓ６０、Ｓ６１）。また、ステップＳ６４で現水位Ｈが補水水位以上であっても、前回の追い焚きから３０分経過していれば追い焚きされる（Ｓ６５、Ｓ６１）。
（残水がある場合）
また、上記の自動風呂装置にあっては自動スイッチがオンされ（Ｓ５１）、最初のステップＳ５２において浴槽２内に基準水位Ｈｓ以上の残水があればステップＳ６３にジャンプしてただちに保温動作に入り、必要に応じて補水が行なわれた上で設定温度まで追い焚きされ、ブザー等によって湯張り動作が完了したことが知らされる（Ｓ６３〜６４、Ｓ６０〜６２）。
このように、必要に応じて設定水位Ｈａまで補水しながら追い焚きすることによって、湯張り完了から一定時間（４時間）経過するまで、設定温度付近に湯温を保つようにしている（Ｓ５３〜Ｓ６６）
【０００５】
【発明が解決しようとする課題】
しかしながらこの自動風呂装置にあっては洋式バスのように浅い風呂から和式バスのように深い風呂まで対応できるよう、通常運転時の設定水位Ｈａは浴槽底面を基準として２５０〜６００ｍｍの水位の範囲内で、例えば、式▲１▼に示すように３５ｍｍおきの１１段階でユーザが自由に可変設定できるようになっている。
Ｈａ  ＝  ２５０  ＋  ３５×ｎ  （ｍｍ）        ……  ▲１▼
ただし、ｎ＝０、１、…、１０
【０００６】
一方基準水位Ｈｓはバスアダプターレベル以上にあることが確認された水位として設定しているが、基準水位Ｈｓは少量の湯（約１０リットル程度）の落とし込みと循環判定を繰り返しながら、水位Ｈがバスアダプターレベルをすぐ越えたところの水位とするのが望ましい。ところが、このような方法で基準水位Ｈｓを設定すると非常に時間を要するので、この自動風呂装置にあっては図９のフロー図のステップＳ５３〜Ｓ５７に示すようにして初回には比較的少量の湯Ｑ１を落とし込み、最初の循環判定を行なった後、次回にはそれよりも多い少量の湯Ｑ３を落とし込んで再び循環判定を行ない、あるいは必要に応じて少量の湯Ｑ３の落とし込みと循環判定を繰り返し、バスアダプターレベル以上になったことが確認された時点の水位を基準水位Ｈｓとして求めており、この基準水位Ｈｓは施工が完了して自動スイッチが初めて投入された初回運転時に設定記憶されている。
【０００７】
このため基準水位Ｈｓは浴槽の大小によって大きく異なり、また、念押しのため循環判定で「水あり」と判断した後にさらに少量の湯（約１０リットル程度）を落とし込む場合もあって、浴槽２がかなり小さい場合などには基準水位Ｈｓがかなり高く設定されてしまう（例えば９０リットル程度の落とし込みでは、３２０ｍｍ程度になる場合がある。）。したがって、場合によっては図１０の破線で示すようにユーザによって設定された設定水位Ｈａが基準水位Ｈｓよりも低く設定されてしまう恐れがある。また、バスアダプター５が高い位置に施工されてしまうと同様に設定水位Ｈａが基準水位Ｈｓより低く設定されてしまう恐れがある。このように設定水位Ｈａが基準水位Ｈｓよりも低く設定されてしまうと、次のような問題点があった。
つまり、図９のフロー図に即して説明すれば自動スイッチが投入されると湯張り動作が開始され、基準水位Ｈｓ以上の残水がなければ設定水位Ｈａまで湯張りされ（Ｓ５１〜Ｓ６２）保温運転に入る。このとき、基準水位Ｈｓ以上の水位がなければ、圧力センサを働かせて水位を求めることができない。そこで、まず現水位Ｈが基準水位Ｈｓ以上の水位にあるかどうか確認する必要がある（Ｓ６３）。しかしながら、設定水位Ｈａは基準水位Ｈｓより低く設定されているので、ステップＳ６３では現水位Ｈが基準水位Ｈｓよりも低いと判断され、ステップＳ５３に戻ってさらに湯の落とし込みと循環判定が繰り返され（Ｓ５４〜Ｓ５７）、設定水位Ｈａよりも高い基準水位Ｈｓまで湯張りが行なわれる。
このように自動風呂装置にあっては、設定された水位によっては湯張り動作が完了した後にも、湯が減っていないにもかかわらず水の落とし込みと循環判定が不必要に行なわれていた。この結果、処理ステップが冗長になりその後の不要な動作のために余計な時間を要してしまうと問題点があった。さらに、循環判定はポンプを作動させて行なうため、循環判定を繰り返し行なうとポンプが何度もオンオフされ、非常に耳ざわりなものとなっていた。
【０００８】
本発明は叙上の従来例の欠点に鑑みてなされたものであり、その目的とするところは、設定水位Ｈａが基準水位Ｈｓよりも低く設定された場合に、不必要な湯の落とし込み動作をなくし、無駄な動作を防ぐことにある。
【０００９】
【発明の開示】
本発明の第１の自動風呂装置の湯張り制御方法は、湯の落とし込み水位を設定する外部水位設定手段を備え、外部水位設定手段により設定された落とし込み水位と初回運転時に設定された基準水位よりも高い比較水位とを比較し、設定された落とし込み水位が比較水位よりも低い場合には比較水位まで湯を落とし込み、設定された落とし込み水位が比較水位よりも高い場合には設定された落とし込み水位まで湯を落とし込むことを特徴としている。
【００１０】
この方法によれば、設定された落とし込み水位と基準水位よりも高い比較水位とを比較して、比較水位あるいは基準水位よりも高く設定された落とし込み水位まで湯を落とし込むようにしているので、外部水位設定手段により設定された落とし込み水位にかかわらず、必ず基準水位より高い水位まで湯が落とし込まれる。
【００１１】
また、本発明の第２の自動風呂装置の湯張り制御方法は、湯の落とし込み水位を設定する外部水位設定手段と、外部水位設定手段によって設定可能な落とし込み水位の範囲を決める水位範囲設定手段を備え、設定可能な落とし込み水位の最低水位を初回運転時に設定された基準水位よりも高くなるように落とし込み水位の設定可能範囲を定め、外部水位設定手段により設定された落とし込み水位まで湯を落とし込むことを特徴としている。
【００１２】
この方法によれば、設定可能な落とし込み水位の最低水位は基準水位よりも高くなるように制限されるので、設定された落とし込み水位は基準水位よりも必ず高くなり、基準水位よりも高い水位まで湯が落とし込まれる。
【００１３】
したがって、本発明の自動風呂装置の制御方法によれば通常運転時には必ず基準水位以上にお湯張りがなされ、一度目標水位までお湯が落とし込まれたら、その後に不必要な湯の落とし込みがされるのを防ぐことができ、直ちにその後の保温動作などに移ることができる。
また、基準水位以上まで湯が落とし込まれているので、無駄な処理ステップが少なくなり、短時間で湯の落とし込み動作を終わらせることができる。
しかも、循環判定が少なくなるのでポンプの駆動回数も減って、静かに湯張りすることができる。
【００１４】
【実施例】
図１は本発明の湯張り制御方法を用いた自動風呂装置１の全体構成図、図２はその概略ブロック図である。２は浴槽、３は追焚き回路、４は給湯回路であって、追焚き回路３は、ポンプ１０から風呂用熱交換器７を介して浴槽２のバスアダプター５に接続する往路６ａと、バスアダプター５から前記ポンプ１０に至る復路６ｂとからなり、往路６ａの途中に浴槽２内の水位を検出するための圧力センサー９と浴槽２内への湯の落とし込み量を検出するための水流スイッチ８が設けられ、復路６ｂの途中にサーミスタ２１が設けられている。給湯回路４は、流量センサー２２、サーミスタ１７、給湯用熱交換器１１、流量調整弁１８、サーミスタ１９、流量調整弁１４、流量センサー１５、バキュームブレーカ２０、閉止弁１２、逆止弁１３を介して追焚き回路３に接続されている。１６は給湯回路４の途中から分岐して適宜の給湯箇所に至る分岐給湯路である。また、前記流量センサー１５は、追焚き回路３を通って給湯回路４から浴槽２内へ給湯される湯の流量を検出している。また、圧力センサー９は、浴槽２内の水位を水圧として間接的に検出している。この圧力センサー９の出力Ｐと水量リットルとの関係を図３に示してある。圧力センサー９の出力Ｐは、往路６ａに湯が満たされるまでは増加するが（往路６ａに湯が満たされるまでの給湯量；Ｌ１）、往路６ａに湯を満たして以後バスアダプターレベルに水位が達するまで（湯がバスアダプターレベルに達した時の水量；Ｌ２）は一定値Ｐ１を示し、バスアダプターレベルでの出力Ｐ１から設定水位Ｈａでの出力Ｐ２までは比例的に増加する。なお、Ｌ３は設定水位Ｈａに達した時の水量である。
【００１５】
自動風呂装置１の制御部３０はマイクロコンピュータを備えており、各種演算・判断・制御・記憶等を行っている。具体的にいうと、制御部３０には流量センサ−１５によって検知された流量検知信号が送られており、この流量値を積算して水量（積算流量）を得ている。また、圧力センサー９によって検知された圧力検知信号が送られており、図３に示したようにして浴槽底面からの水位Ｈを間接的に求めている。水位設定部２３にはリモートコントローラ２４から設定水位Ｈａが入力されており、水位設定部２３は予め制御部３０によって求められた基準水位Ｈｓと設定された設定水位Ｈａから目標水位Ｈｍを設定し、制御部２３に水位設定信号を出力している。制御部３０は出力された水位設定信号に基づき、目標水位Ｈｍとなるように閉止弁１２を開けて浴槽２内に湯を落とし込んでいる。さらに、制御部３０はリモートコントローラ２４から入力された設定温度となるように湯温調整部３１を制御し、浴槽２内の湯を設定温度付近に保つようにしている。
【００１６】
本発明の湯張り制御方法について図４のフロー図及び図６の説明図に従って詳述する。図４に示すフロー図は、通常運転時における湯張り動作と保温動作を示すものであって、特開平２−２６７４６０号公報に開示されたような方法ですでに試運転が行なわれ、制御部３０のマイクロコンピュータには基準水位Ｈｓと目標水位Ｈｍまで湯の落とし込み量を求めるための浴槽断面積Ｓが記憶されているものとして説明する。
（湯張り動作）
まず、自動スイッチをオンにし、給湯回路４から湯量Ｑ１（例えば、１０リットル）の湯を浴槽２に落とし込む（Ｓ３１）。ついで、閉止弁１２を閉じ、ポンプ１０を運転して水流スイッチ８によって残水の有無を判断するための循環判定を行い（Ｓ３２）、循環判定後ポンプ１０を停止する。循環判定は、浴槽２内にバスアダプター５のレベル以上の湯があれば「オン（ＯＮ）」となり、バスアダプター５のレベル以下であれば、「オフ（ＯＦＦ）」と判定される。この循環判定が「オン」で残水有りと判断するとさらに少量の湯量Ｑ２を落とし込んで（Ｓ３３）、再度循環判定（Ｓ３５）を行ない、エアー噛みなどがないか確認する（この湯量Ｑ２の落とし込み（Ｓ３３）は省略しても差し支えない。）。
【００１７】
循環判定（Ｓ３２）が「オフ」であれば、さらに湯量Ｑ３（例えば、９０リットル）の湯を落とし込み（Ｓ３４）、２度目の循環判定を行なう（Ｓ３５）。２度目の循環判定（Ｓ３５）が「オフ」であれば、さらに湯量Ｑ３の湯を落とし込み（Ｓ３４）、再度循環判定を行なう（Ｓ３５）。こうして循環判定が「オン」になるまで、湯量Ｑ３の落とし込みを繰り返し（Ｓ３４，Ｓ３５）、循環判定（Ｓ３５）が「オン」になると、バスアダプターレベル以上の水位があると判断し、その時の水位Ｈを検出する（Ｓ３６）。
【００１８】
バスアダプターレベル以上の水位Ｈが確認されたならば、次に目標水位Ｈｍとなるように湯を落とし込む。この目標水位Ｈｍは、ユーザにより設定された設定水位Ｈａと基準水位Ｈｓとの関係によって定められており、目標水位Ｈｍは基準水位Ｈｓよりも高くなるように設定される。この自動風呂装置１では、基準水位Ｈｓよりも高く設定された仮水位Ｈｔ（Ｈｔ＝Ｈｓ＋α、α＞０、αは既定値）が水位設定部２３に記憶されており、ユーザにより設定された設定水位Ｈａが仮水位Ｈｔより高い場合には、目標水位Ｈｍは設定水位Ｈａと等しく定められ（Ｈｍ＝Ｈａ）、設定水位Ｈａが仮水位Ｈｔより低い場合には目標水位Ｈｍは仮水位Ｈｔに定められる（Ｈｍ＝Ｈｔ）。
【００１９】
設定水位Ｈａが仮水位Ｈｔよりも低く設定された場合（Ｈａ＜Ｈｔ）には目標水位Ｈｍを仮水位Ｈｔに設定して、仮水位Ｈｔと水位Ｈの水位差と制御部３０に記憶されている浴槽断面積Ｓとの積に等しい量の湯Ｑを落とし込む（Ｓ３７、Ｓ３８）。また、設定水位Ｈａが仮水位Ｈｔより高く設定された場合（Ｈａ≧Ｈｔ）には目標水位Ｈｍを設定水位Ｈａに設定して、設定水位Ｈａと水位Ｈの水位差と浴槽断面積Ｓとの積に等しい量の湯Ｑを落とし込む（Ｓ３７、Ｓ３９）。こうして目標水位Ｈｍまで湯を落とし込んだら湯温が設定温度に達するまで焚き上げを行ない（Ｓ４０、Ｓ４１）、湯張りが完了したことをブザー等で知らす（Ｓ４２）。なお、このブザーは最初に設定温度まで焚き上げられたときにだけ鳴らされるようになっている。
【００２０】
（保温動作）
以上のように目標水位Ｈｍまで湯張りが完了すると保温動作に入る。保温動作では、一定時間ごとに追い焚きするようになっており、追い焚き可能なように浴槽２内の水位Ｈが追い焚き可能な水位以上にあるかどうか確認する。このため、まず水位Ｈが基準水位Ｈｓよりも高くバスアダプターレベル以上にあることを確認する（Ｓ４３）。ここで湯張り完了後お湯が使われて浴槽２内の湯の量が基準水位Ｈｓ以下になると（Ｓ４３）、ステップＳ３１に戻って湯（Ｑ１、Ｑ２、Ｑ３）の落とし込みと循環判定が行なわれて再び目標水位Ｈｍまで湯が落とし込まれる（Ｓ３１〜Ｓ３５）。
このとき、湯張りが完了した直後には水位Ｈ＝Ｈｍは基準水位Ｈｓ以上にあるので、次に補水水位以上にあることが確認される（Ｓ４４）。ステップＳ４４で補水水位（例えば設定水位Ｈａ−３ｃｍ）以上の水位がないと補水を行なう。補水はステップＳ３７に戻って、設定水位Ｈａと仮水位Ｈｔとの関係によって定められた目標水位Ｈｍまで湯を落とし込み、設定温度になるまで追い焚きされる（Ｓ３８、Ｓ３９〜Ｓ４１）。また、基準水位Ｈｓ以上の水位があって、しかも補水水位以上にあれば（Ｓ４３、Ｓ４４）、前回の追い焚きから例えば３０分以上経過するごとに追い焚きされ（Ｓ４５、Ｓ４０〜Ｓ４１）、浴槽２内の湯の温度は設定温度付近に保たれる。
こうして湯張り動作が完了したのち一定時間（例えば、４時間）経過するまで（Ｓ４６）は、浴槽２内の水位を目標水位Ｈｍに保ちながら一定の設定温度付近に保つことができる。
【００２１】
このように本発明にあっては設定水位Ｈａが基準水位Ｈｓよりも低く設定された場合でも、基準水位Ｈｓよりも高い水位にある目標水位Ｈｍまで湯が落とし込まれるようになっているので、お湯張りが完了したのちには不必要な落とし込みと循環判定が行なわれることがなく、直ちに保温動作を行なうことができる。
【００２２】
また、目標水位Ｈｍは次のようにして設定することもできる。図７に示すものは本発明の別な実施例である自動風呂装置１の概略ブロック図であって、水位設定部２３は試運転時に設定された基準水位Ｈｓを基にユーザが設定できる設定水位Ｈａの設定可能範囲を定め、リモートコントローラ２４に水位設定可能な範囲を出力しており、ユーザはその範囲内で設定水位Ｈａを設定できるようになっている。そして、リモートコントローラ２４から入力された設定水位Ｈａを目標水位Ｈｍとして制御部３０に水位設定信号を出力している。この水位設定可能な範囲は、基準水位Ｈｓを最小値として、設定された設定水位Ｈａが基準水位Ｈｓよりも高くなるように定められている。制御部３０は入力目標水位Ｈｍ（＝設定水位Ｈａ）となるように湯を落とし込むようにしている。次に示す▲２▼式は、目標水位Ｈｍを設定するための具体例を示すものであって、ユーザの設定できる設定水位Ｈａの範囲を、
設定水位Ｈａ  ＝  ２５０  ＋  ３５×ｎ（ｍｍ）        ……  ▲２▼
ただしｎはｎｍｉｎ〜１０までの整数であって、
ｎｍｉｎは、例えば（Ｈｓ−２５０）／３５＋１の整数部（切上げ、切捨て、四捨五入のいずれでもよい）となるようにするとよい。
図８に示すものはリモートコントローラ２４における水位設定表示の一例であるが、例えば、試運転時に基準水位Ｈｓが３２０ｍｍと設定されたならば、図８（ａ）に示すようにユーザが設定可能な設定水位Ｈａの範囲はｎ＝３〜１０の８段階で設定でき、実際の目標水位Ｈｍは３２０ｍｍ〜６００ｍｍの範囲で定められることになり、インジケータ２５に設定可能な範囲が７段階で表示される。そして、アップボタン２７ａ、ダウンボタン２７ｂを押して希望する設定水位Ｈａを選択すると、選択された設定水位Ｈａがインジケータ２５にランプが点灯して表示される（図中の破線領域）とともに水位表示部２６に数字で表示される。また、基準水位Ｈｓが２５０ｍｍと設定されたならば、図８（ｂ）に示すようにユーザが設定可能な設定水位Ｈａの範囲はｎ＝１〜１０の１０段階で設定でき、実際の目標水位Ｈｍは２８５ｍｍ〜６００ｍｍの範囲で定められることになり、インジケータ２５に設定可能な範囲が１０段階で表示される。こうして、設定された設定水位Ｈａは必ず基準水位Ｈｓよりも高くなる。なお、２８は設定温度表示部、２９ａは設定温度アップボタン、２９ｂは設定温度ダウンボタンである。
【００２３】
このように設定された基準水位Ｈｓによって設定可能な設定水位Ｈａの範囲（目標水位Ｈｍの範囲）を定めると、リモートコントローラ２４（インジケータ２５及び水位表示部２６）の表示と実際の目標水位Ｈｍとが一致し、表示通りの水位にお湯張りができ、基準水位Ｈｓが異なることによって実際の水位がまちまちになるということを防ぐことができる。
【００２４】
また、浴槽が大きく設定水位Ｈａに余裕がある場合などには、設定水位段階を１０段階に固定しておき、ｎｍｉｎ＋１〜ｎｍｉｎ＋１０  の段階で設定できるようにしてもよい。
【００２５】
なお上記実施例では、自動スイッチをオンにすると少量の湯Ｑ１を落とし込みを行ない循環判定を行なうようにしたが、従来例で示したように、自動スイッチをオンにすると閉止弁１２を閉じ、圧力センサー９によってまず基準水位Ｈｓ以上の湯が浴槽２内にあるかを判断し、基準水位Ｈｓ以上の水位を確認すれば、ステップＳ４３にジャンプして直ちに保温動作に入るようにしてもよい。
【００２６】
【発明の効果】
本発明の自動風呂装置の湯張り制御方法によれば、通常運転時には基準水位以上の水位まで必ず湯が落とし込まれ、その後、基準水位以下となるまで不要な湯の落とし込みがなくなり、無駄な動作を防止できる。
【図面の簡単な説明】
【図１】本発明の湯張り制御方法を用いた自動風呂装置の全体構成図である。
【図２】同上の自動風呂装置の概略ブロック図である。
【図３】圧力センサーの出力Ｐと水量Ｌとの関係を示す図である。
【図４】同上の湯張り制御方法を示すフロー図である。
【図５】同上のフロー図の続図である。
【図６】同上の湯張り制御方法を示す説明図である。
【図７】本発明の別な湯張り制御方法を用いた自動風呂装置の概略ブロック図である。
【図８】（ａ）（ｂ）は同上のリモートコントローラにおける水位設定表示を示す図である。
【図９】従来例の湯張り制御方法を示すフロー図である。
【図１０】同上の湯張り制御方法を示す説明図である。
【符号の説明】
２  浴槽
３  追焚き回路
４  給湯回路
５  バスアダプター
９  圧力センサー
１５  流量センサー
２３  水位設定部
２４  リモートコントローラ
３０  制御部
【図１】
0003551524.tif 000002
【図３】
0003551524.tif 000003
【図２】
0003551524.tif 000004
【図６】
0003551524.tif 000005
【図４】
0003551524.tif 000006
【図５】
0003551524.tif 000007
【図７】
0003551524.tif 000008
【図８】
0003551524.tif 000009
【図９】
0003551524.tif 000010
【図１０】
0003551524.tif 000011